(57)【要約】【課題】不具合のある会計伝票情報が発生する場合があった。【解決手段】取引に関する情報であり、取引日を有する会計伝票情報を有する１以上の会計情報を格納し得る会計情報格納部と、会計伝票情報に対する会計処理者のチェックの状態に関する情報であるチェック情報を格納し得るチェック情報格納部と、蓄積される会計伝票情報、更新される会計伝票情報、会計伝票情報のチェックのための出力を指示するチェック指示、および会計伝票情報の出力を指示する出力指示を、会計端末またはユーザ端末から受信するサーバ受信部とを具備し、チェック中であるとの情報であるチェック情報に対応する会計伝票情報に対して、顧問先ユーザが更新できない会計処理システムにより、不具合のある会計伝票情報が発生することを防止できる。【選択図】図１
2014215933.tif 000002
【特許請求の範囲】
【請求項１】
サーバ装置と、税理士または公認会計士である会計処理者が使用する会計端末と、前記会計処理者の顧問先ユーザが使用する１以上のユーザ端末とを具備する会計処理システムを構成するサーバ装置であって、
前記サーバ装置は、
取引に関する情報であり、取引日を有する会計伝票情報を有する１以上の会計情報を格納し得る会計情報格納部と、
会計伝票情報に対する会計処理者のチェックの状態に関する情報であるチェック情報を格納し得るチェック情報格納部と、
蓄積される会計伝票情報、更新される会計伝票情報、会計伝票情報のチェックのための出力を指示するチェック指示、および会計伝票情報の出力を指示する出力指示を、前記会計端末または前記ユーザ端末から受信するサーバ受信部と、
前記サーバ受信部が受信した会計伝票情報を、前記会計情報格納部に蓄積するサーバ蓄積部と、
前記出力指示に対応する会計伝票情報を前記会計情報格納部から取得し、当該会計伝票情報を、前記出力指示を送信してきた会計端末またはユーザ端末に送信するサーバ送信部と、
前記会計端末は、
会計処理者を識別する会計処理者識別子を格納し得る会計端末格納部と、
会計伝票情報を含む情報の送信指示、会計伝票情報のチェックのための出力を指示するチェック指示を受け付ける会計端末受付部と、
前記送信指示に従って、前記会計伝票情報を、前記サーバ装置に送信する会計端末送信部と、
前記出力指示に従って、前記サーバ装置から、会計伝票情報を受信する会計端末受信部と、
前記会計端末受信部が受信した、会計伝票情報を出力する会計端末出力部とを具備し、
前記ユーザ端末は、
ユーザを識別するユーザ識別子を格納し得るユーザ端末格納部と、
会計伝票情報を含む情報の送信指示、および会計伝票情報の出力指示を受け付けるユーザ端末受付部と、
前記送信指示に従って、前記会計伝票情報を前記サーバ装置に送信するユーザ端末送信部と、
前記出力指示に従って、前記サーバ装置から会計伝票情報を受信するユーザ端末受信部と、
前記ユーザ端末受信部が受信した会計伝票情報を出力するユーザ端末出力部とを具備し、
チェック中であるとの情報であるチェック情報に対応する会計伝票情報に対して、前記顧問先ユーザが更新できない会計処理システム。
【請求項２】
前記チェック情報格納部は、
取引日が同じ月の１以上の会計伝票情報と対応付けて、前記チェック情報を格納している請求項１記載の会計処理システム。
【請求項３】
前記会計端末受付部は、
会計伝票情報のチェック完了の完了指示をも受け付け、
前記会計端末送信部は、
前記完了指示をも前記サーバ装置に送信し、
前記サーバ受信部は、
前記会計端末から前記完了指示をも受信し、
前記サーバ受信部が完了指示を受信した場合に、当該完了指示が一の月のすべての会計伝票情報のチェック完了を示す情報である場合、前記会計情報格納部から、前記一の月の次の月の１以上の会計伝票情報を取得するサーバ処理部をさらに具備し、
前記サーバ送信部は、
前記サーバ処理部が取得した１以上の会計伝票情報をも、前記会計端末に送信する請求項２記載の会計処理システム。
【請求項４】
一の月のすべての会計伝票情報のチェックが完了したことが自動判断され、
前記サーバ装置は、
前記一の月の会計伝票情報に対応するチェック情報の値を、チェック完了を示す情報に変更するサーバ処理部をさらに具備する請求項１から請求項３いずれか一項に記載の会計処理システム。
【請求項５】
サーバ装置と、税理士または公認会計士である会計処理者が使用する会計端末と、前記会計処理者の顧問先ユーザが使用する１以上のユーザ端末とを具備する会計処理システムを構成するサーバ装置であって、
前記サーバ装置は、
取引に関する情報であり、取引日を有する会計伝票情報を有する１以上の会計情報を格納し得る会計情報格納部と、
会計伝票情報に対する会計処理者のチェックの状態に関する情報であるチェック情報を格納し得るチェック情報格納部と、
蓄積される会計伝票情報、更新される会計伝票情報、会計伝票情報のチェックのための出力を指示するチェック指示、会計伝票情報の出力を指示する出力指示、および閲覧操作から取得されるチェック情報または前記閲覧操作を、前記会計端末または前記ユーザ端末から受信するサーバ受信部と、
前記サーバ受信部が前記会計端末から受信した情報を用いて、一の月の会計伝票情報のチェックが完了した旨のチェック情報を取得するチェック情報取得部と、
前記サーバ受信部が受信した会計伝票情報を前記会計情報格納部に蓄積し、かつ、前記チェック情報取得部が取得したチェック情報を前記会計情報格納部に蓄積するサーバ蓄積部と、
前記出力指示に対応する会計伝票情報を前記会計情報格納部から取得し、当該会計伝票情報を、前記出力指示を送信してきた会計端末またはユーザ端末に送信するサーバ送信部と、
前記会計端末は、
会計処理者を識別する会計処理者識別子を格納し得る会計端末格納部と、
会計伝票情報を含む情報の送信指示、会計伝票情報のチェックのための出力を指示するチェック指示、１以上の会計伝票情報の閲覧操作を受け付ける会計端末受付部と、
前記送信指示に従って、前記会計伝票情報を、前記サーバ装置に送信し、かつ、前記閲覧操作から取得されるチェック情報または前記閲覧操作を送信する会計端末送信部と、
前記出力指示に従って、前記サーバ装置から、会計伝票情報を受信する会計端末受信部と、
前記会計端末受信部が受信した、会計伝票情報を出力する会計端末出力部とを具備し、
前記ユーザ端末は、
ユーザを識別するユーザ識別子を格納し得るユーザ端末格納部と、
会計伝票情報を含む情報の送信指示、および会計伝票情報の出力指示を受け付けるユーザ端末受付部と、
前記送信指示に従って、前記会計伝票情報を前記サーバ装置に送信するユーザ端末送信部と、
前記出力指示に従って、前記サーバ装置から会計伝票情報を受信するユーザ端末受信部と、
前記ユーザ端末受信部が受信した、会計伝票情報を出力するユーザ端末出力部とを具備し、
チェック中であるとの情報であるチェック情報に対応する会計伝票情報に対して、前記顧問先ユーザが更新できない会計処理システム。
【請求項６】
前記会計端末は、
前記会計端末出力部が出力した会計伝票情報、または前記会計端末出力部が出力した会計伝票情報および前記閲覧操作が予め決められた条件を満たした場合に、一の月の会計伝票情報のチェックが完了したと判断する会計端末判断部をさらに具備し、
前記会計端末送信部は、
前記会計端末判断部が一の月の会計伝票情報のチェックが完了したと判断した場合、一の月の会計伝票情報のチェックが完了した旨を示すチェック情報を送信する請求項５記載の会計処理システム。
【請求項７】
前記会計端末出力部は、
前記会計端末判断部が一の月の会計伝票情報のチェックが完了したと判断した場合、一の月の会計伝票情報のチェックが完了したか否かを、会計処理者に問い合わせる画面を出力し、
前記会計端末受付部は、
会計処理者から一の月の会計伝票情報のチェックが完了したか否かの情報を受け付け、
前記会計端末送信部は、
前記会計端末受付部が一の月の会計伝票情報のチェックが完了した旨のチェック情報を受け付けた場合、当該チェック情報を前記サーバ装置に送信し、
前記サーバ受信部は、
前記一の月の会計伝票情報のチェックが完了した旨のチェック情報を前記会計端末から受信し、
前記チェック情報取得部は、
前記サーバ受信部が受信したチェック情報を取得する請求項６記載の会計処理システム。
【請求項８】
前記サーバ受信部は、
前記会計端末から１または２以上の閲覧操作を受信し、
前記チェック情報取得部は、
前記１または２以上の閲覧操作が予め決められた条件を満たしたことを検知した場合に、一の月の会計伝票情報のチェックが完了した旨のチェック情報を取得する請求項５記載の会計処理システム。
【請求項９】
一の月のすべての会計伝票情報が会計端末に送信または出力され、かつ、会計端末において一の月のすべての会計伝票情報が出力された画面が閉じられた場合に、一の月の会計伝票情報のチェックが完了したと判断される請求項５から請求項８いずれか一項に記載の会計処理システム。
【請求項１０】
記録媒体に、
取引に関する情報であり、取引日を有する会計伝票情報を有する１以上の会計情報と、会計伝票情報に対する会計処理者のチェックの状態に関する情報であるチェック情報を格納しており、
サーバ受信部、サーバ蓄積部、およびサーバ送信部により実現される情報処理方法であって、
前記サーバ受信部が、蓄積される会計伝票情報、更新される会計伝票情報、会計伝票情報のチェックのための出力を指示するチェック指示、および会計伝票情報の出力を指示する出力指示を、会計端末またはユーザ端末から受信するサーバ受信ステップと、
前記が、前記サーバ受信信ステップで受信された会計伝票情報を、前記記録媒体に蓄積するサーバ蓄積信ステップと、
前記が、前記出力指示または前記チェック指示に対応する会計伝票情報を前記記録媒体から取得し、当該会計伝票情報を、前記出力指示を送信してきた会計端末またはユーザ端末に送信するサーバ送信信ステップとを具備する情報処理方法。
【請求項１１】
記録媒体に、
取引に関する情報であり、取引日を有する会計伝票情報を有する１以上の会計情報と、会計伝票情報に対する会計処理者のチェックの状態に関する情報であるチェック情報を格納しており、
コンピュータを、
蓄積される会計伝票情報、更新される会計伝票情報、会計伝票情報のチェックのための出力を指示するチェック指示、および会計伝票情報の出力を指示する出力指示を、会計端末またはユーザ端末から受信するサーバ受信部と、
前記サーバ受信部が受信した会計伝票情報を、前記記録媒体に蓄積するサーバ蓄積部と、
前記出力指示または前記チェック指示に対応する会計伝票情報を前記記録媒体から取得し、当該会計伝票情報を、前記出力指示を送信してきた会計端末またはユーザ端末に送信するサーバ送信部として機能させるためのプログラム。
【発明の詳細な説明】
【技術分野】
【０００１】
本発明は、会計伝票情報を管理するサーバ装置等に関するものである。
【背景技術】
【０００２】
従来の会計伝票情報を処理する装置において、一般企業の会計処理において、支払処理に発生主義を採用した自動仕訳処理を導入することにより、貸借対照表、損益計算書の作製時間の短縮を図る技術があった（例えば、特許文献１参照）。
【先行技術文献】
【特許文献】
【０００３】
【特許文献１】特開平６−１９５３５７号公報（第１頁、第１図等）
【発明の概要】
【発明が解決しようとする課題】
【０００４】
しかしながら、従来の会計処理システムにおいては、会計処理者が会計伝票情報をチェック中に、顧問先ユーザによって会計伝票情報が変更された結果、不具合のある会計伝票情報が発生する場合があった。なお、ここで、会計処理者とは、税理士や公認会計士等の会計の処理を専門的に行える者を言う。
【課題を解決するための手段】
【０００５】
本第一の発明の会計処理システムは、サーバ装置と、税理士または公認会計士である会計処理者が使用する会計端末と、会計処理者の顧問先ユーザが使用する１以上のユーザ端末とを具備する会計処理システムを構成するサーバ装置であって、サーバ装置は、取引に関する情報であり、取引日を有する会計伝票情報を有する１以上の会計情報を格納し得る会計情報格納部と、会計伝票情報に対する会計処理者のチェックの状態に関する情報であるチェック情報を格納し得るチェック情報格納部と、蓄積される会計伝票情報、更新される会計伝票情報、会計伝票情報のチェックのための出力を指示するチェック指示、および会計伝票情報の出力を指示する出力指示を、会計端末またはユーザ端末から受信するサーバ受信部と、サーバ受信部が受信した会計伝票情報を、会計情報格納部に蓄積するサーバ蓄積部と、出力指示に対応する会計伝票情報を会計情報格納部から取得し、会計伝票情報を、出力指示を送信してきた会計端末またはユーザ端末に送信するサーバ送信部と、会計端末は、会計処理者を識別する会計処理者識別子を格納し得る会計端末格納部と、会計伝票情報を含む情報の送信指示、会計伝票情報のチェックのための出力を指示するチェック指示を受け付ける会計端末受付部と、送信指示に従って、会計伝票情報を、サーバ装置に送信する会計端末送信部と、出力指示に従って、サーバ装置から、会計伝票情報を受信する会計端末受信部と、会計端末受信部が受信した、会計伝票情報を出力する会計端末出力部とを具備し、ユーザ端末は、ユーザを識別するユーザ識別子を格納し得るユーザ端末格納部と、会計伝票情報を含む情報の送信指示、および会計伝票情報の出力指示を受け付けるユーザ端末受付部と、送信指示に従って、会計伝票情報をサーバ装置に送信するユーザ端末送信部と、出力指示に従って、サーバ装置から会計伝票情報を受信するユーザ端末受信部と、ユーザ端末受信部が受信した会計伝票情報を出力するユーザ端末出力部とを具備し、チェック中であるとの情報であるチェック情報に対応する会計伝票情報に対して、顧問先ユーザが更新できないサーバ装置である。
【０００６】
かかる構成により、不具合のある会計伝票情報が入力されることを防止できる。
【０００７】
また、本第二の発明の会計処理システムは、第一の発明に対して、チェック情報格納部は、取引日が同じ月の１以上の会計伝票情報と対応付けて、チェック情報を格納しているサーバ装置である。
【０００８】
かかる構成により、一の月の会計伝票情報に対してロックをかけることにより、不具合のある会計伝票情報の蓄積を、適切に防止できる。
【０００９】
また、本第三の発明の会計処理システムは、第二の発明に対して、会計端末受付部は、会計伝票情報のチェック完了の完了指示をも受け付け、会計端末送信部は、完了指示をもサーバ装置に送信し、サーバ受信部は、会計端末から完了指示をも受信し、サーバ受信部が完了指示を受信した場合に、完了指示が一の月のすべての会計伝票情報のチェック完了を示す情報である場合、会計情報格納部から、一の月の次の月の１以上の会計伝票情報を取得するサーバ処理部をさらに具備し、サーバ送信部は、サーバ処理部が取得した１以上の会計伝票情報をも、会計端末に送信するサーバ装置である。
【００１０】
かかる構成により、会計伝票情報のチェック作業の効率化を図ることができる。
【００１１】
また、本第四の発明の会計処理システムは、第一から第三いずれかの発明に対して、一の月のすべての会計伝票情報のチェックが完了したことが自動判断され、サーバ装置は、一の月の会計伝票情報に対応するチェック情報の値を、チェック完了を示す情報に変更するサーバ処理部をさらに具備するサーバ装置である。
【００１２】
かかる構成により、会計伝票情報のチェック作業の効率化を図ることができる。
【００１３】
また、本第五の発明の会計処理システムは、サーバ装置と、税理士または公認会計士である会計処理者が使用する会計端末と、会計処理者の顧問先ユーザが使用する１以上のユーザ端末とを具備する会計処理システムを構成するサーバ装置であって、サーバ装置は、取引に関する情報であり、取引日を有する会計伝票情報を有する１以上の会計情報を格納し得る会計情報格納部と、会計伝票情報に対する会計処理者のチェックの状態に関する情報であるチェック情報を格納し得るチェック情報格納部と、蓄積される会計伝票情報、更新される会計伝票情報、会計伝票情報のチェックのための出力を指示するチェック指示、会計伝票情報の出力を指示する出力指示、および閲覧操作から取得されるチェック情報または閲覧操作を、会計端末またはユーザ端末から受信するサーバ受信部と、サーバ受信部が会計端末から受信した情報を用いて、一の月の会計伝票情報のチェックが完了した旨のチェック情報を取得するチェック情報取得部と、サーバ受信部が受信した会計伝票情報を会計情報格納部に蓄積し、かつ、チェック情報取得部が取得したチェック情報を会計情報格納部に蓄積するサーバ蓄積部と、出力指示に対応する会計伝票情報を会計情報格納部から取得し、会計伝票情報を、出力指示を送信してきた会計端末またはユーザ端末に送信するサーバ送信部と、会計端末は、会計処理者を識別する会計処理者識別子を格納し得る会計端末格納部と、会計伝票情報を含む情報の送信指示、会計伝票情報のチェックのための出力を指示するチェック指示、１以上の会計伝票情報の閲覧操作を受け付ける会計端末受付部と、送信指示に従って、会計伝票情報を、サーバ装置に送信し、かつ、閲覧操作から取得されるチェック情報または閲覧操作を送信する会計端末送信部と、出力指示に従って、サーバ装置から、会計伝票情報を受信する会計端末受信部と、会計端末受信部が受信した、会計伝票情報を出力する会計端末出力部とを具備し、ユーザ端末は、ユーザを識別するユーザ識別子を格納し得るユーザ端末格納部と、会計伝票情報を含む情報の送信指示、および会計伝票情報の出力指示を受け付けるユーザ端末受付部と、送信指示に従って、会計伝票情報をサーバ装置に送信するユーザ端末送信部と、出力指示に従って、サーバ装置から会計伝票情報を受信するユーザ端末受信部と、ユーザ端末受信部が受信した、会計伝票情報を出力するユーザ端末出力部とを具備し、チェック中であるとの情報であるチェック情報に対応する会計伝票情報に対して、顧問先ユーザが更新できないサーバ装置である。
【００１４】
かかる構成により、会計伝票情報のチェック作業の効率化を図ることができる。
【００１５】
また、本第六の発明の会計処理システムは、第五の発明に対して、会計端末は、会計端末出力部が出力した会計伝票情報、または会計端末出力部が出力した会計伝票情報および閲覧操作が予め決められた条件を満たした場合に、一の月の会計伝票情報のチェックが完了したと判断する会計端末判断部をさらに具備し、会計端末送信部は、会計端末判断部が一の月の会計伝票情報のチェックが完了したと判断した場合、一の月の会計伝票情報のチェックが完了した旨を示すチェック情報を送信するサーバ装置である。
【００１６】
かかる構成により、会計伝票情報のチェック作業の効率化を図ることができる。
【００１７】
また、本第七の発明の会計処理システムは、第六の発明に対して、会計端末出力部は、会計端末判断部が一の月の会計伝票情報のチェックが完了したと判断した場合、一の月の会計伝票情報のチェックが完了したか否かを、会計処理者に問い合わせる画面を出力し、会計端末受付部は、会計処理者から一の月の会計伝票情報のチェックが完了したか否かの情報を受け付け、会計端末送信部は、会計端末受付部が一の月の会計伝票情報のチェックが完了した旨のチェック情報を受け付けた場合、チェック情報をサーバ装置に送信し、サーバ受信部は、一の月の会計伝票情報のチェックが完了した旨のチェック情報を会計端末から受信し、チェック情報取得部は、サーバ受信部が受信したチェック情報を取得するサーバ装置である。
【００１８】
かかる構成により、会計伝票情報のチェック作業の完了を確実に入力できる。
【００１９】
また、本第八の発明の会計処理システムは、第五の発明に対して、サーバ受信部は、会計端末から１または２以上の閲覧操作を受信し、チェック情報取得部は、１または２以上の閲覧操作が予め決められた条件を満たしたことを検知した場合に、一の月の会計伝票情報のチェックが完了した旨のチェック情報を取得するサーバ装置である。
【００２０】
かかる構成により、会計伝票情報のチェック作業の効率化を図ることができる。
【００２１】
また、本第九の発明の会計処理システムは、第五から第八いずれかの発明に対して、一の月のすべての会計伝票情報が会計端末に送信または出力され、かつ、会計端末において一の月のすべての会計伝票情報が出力された画面が閉じられた場合に、一の月の会計伝票情報のチェックが完了したと判断される会計処理システムである。
【００２２】
かかる構成により、会計伝票情報のチェック作業の効率化を図ることができる。
【発明の効果】
【００２３】
本発明による会計処理システムによれば、不具合のある会計伝票情報が発生することを防止できる。
【図面の簡単な説明】
【００２４】
【図１】実施の形態１における会計処理システムの概念図を示す図
【図２】同会計処理システムのブロック図
【図３】同サーバ装置１の動作について説明するフローチャート
【図４】同会計端末２の動作について説明するフローチャート
【図５】同チェック情報を取得・送信処理について説明するフローチャート
【図６】同会計情報管理表を示す図
【図７】同ユーザ管理表を示す図
【図８】同会計処理者管理表を示す図
【図９】同チェック情報管理表を示す図
【図１０】同パネル出力例を示す図
【図１１】同コンピュータシステムの概観図
【図１２】同コンピュータシステムのブロック図
【発明を実施するための形態】
【００２５】
以下、会計処理システム等の実施形態について図面を参照して説明する。なお、実施の形態において同じ符号を付した構成要素は同様の動作を行うので、再度の説明を省略する場合がある。
【００２６】
（実施の形態１）
本実施の形態において、サーバ装置１に存在する会計伝票情報に対して、税理士等の１以上の会計処理者と１以上の顧問先ユーザとがアクセスする環境において、会計処理者がデータチェック中には、チェック対象の会計伝票情報に対して、顧問先ユーザのデータ改変を不可能にする会計処理システムについて説明する。なお、会計伝票情報のチェック中とは、メモリ上への読み込み中ではなく、会計伝票情報のチェックが開始されて、終了されていない状況を言い、会計処理者がログアウトした場合でも、チェック中の状態が継続される場合がある。つまり、会計処理者がログアウトした場合でも、チェック中の状態が自動的に終了するわけではない。また、会計伝票情報のチェックの状態の管理単位は、通常、一か月単位である。
【００２７】
また、本実施の形態において、会計処理者の会計伝票情報のチェック中に、自動的にチェック対象の月の会計伝票情報が変化する会計処理システムについて説明する。
【００２８】
また、本実施の形態において、会計処理者の会計伝票情報のチェックが完了したことを自動判断する会計処理システムについて説明する。
【００２９】
さらに、本実施の形態において、会計処理者の会計伝票情報のチェック完了を推定し、会計伝票情報のチェックを完了したか否かを、会計処理者に問い合わせ、完了の旨のデータ入力を促す会計処理システムについて説明する。
【００３０】
図１は、本実施の形態における会計処理システムの概念図である。会計処理システムは、サーバ装置１と、１以上の会計端末２と、１以上のユーザ端末３とを具備する。会計端末２は、税理士または公認会計士等である会計処理者が使用する端末である。また、ユーザ端末３とは、会計処理者の顧問先ユーザが使用する端末である。また、サーバ装置１と１以上の会計端末２、およびサーバ装置１と１以上のユーザ端末３とは、インターネット、ＬＡＮ等のネットワークを用いて通信可能である。
【００３１】
図２は、本実施の形態における会計処理システムのブロック図である。会計処理システムを構成するサーバ装置１は、会計情報格納部１１、チェック情報格納部１２、サーバ受信部１３、サーバ処理部１４、チェック情報取得部１５、サーバ蓄積部１６、サーバ送信部１７を備える。
【００３２】
また、会計端末２は、会計端末格納部２１、会計端末受付部２２、会計端末判断部２３、会計端末送信部２４、会計端末受信部２５、会計端末出力部２６を備える。
【００３３】
さらに、ユーザ端末３は、ユーザ端末格納部３１、ユーザ端末受付部３２、ユーザ端末送信部３３、ユーザ端末受信部３４、ユーザ端末出力部３５を備える。
【００３４】
サーバ装置１を構成する会計情報格納部１１は、１以上の会計情報を格納し得る。会計情報は、会計伝票情報を有する。会計伝票情報は、取引に関する情報であり、取引日を有する情報である。会計伝票情報は、例えば、取引の対象を示す項目、仕訳、取引の金額、取引日付、取引代金の受取人を識別する情報等を有する。
【００３５】
チェック情報格納部１２は、１以上のチェック情報を格納し得る。チェック情報とは、会計伝票情報に対する会計処理者のチェックの状態に関する情報である。チェック情報は、通常、チェック中、チェック完了、その他等の情報を採り得る。一のチェック情報は、通常、各月の１以上の会計伝票情報に対して管理される。つまり、一のチェック情報は、通常、1か月の会計伝票情報に対応する。但し、一のチェック情報が１または２以上の会計伝票情報に対応付けて管理されても良い。
【００３６】
サーバ受信部１３は、蓄積される会計伝票情報、更新される会計伝票情報、会計伝票情報のチェックのための出力を指示するチェック指示、会計伝票情報の出力を指示する出力指示、１または２以上の閲覧操作から取得されるチェック情報、１または２以上の閲覧操作を、会計端末２またはユーザ端末３から受信する。また、サーバ受信部１３は、会計端末２から完了指示をも受信しても良い。なお、チェック情報は、一の月の会計伝票情報のチェックが完了した旨の情報でも良い。また、更新される会計伝票情報とは、会計伝票情報の一部の情報でも良い。また、チェック指示は、通常、チェック対象の会計伝票情報を特定する情報である特定情報を含む。特定情報は、例えば、会計伝票情報の検索式、一の月を示す情報、一の月を示す情報と顧問先ユーザの識別子または顧問先の企業の識別子、一の会計伝票情報を特定する情報等である。出力指示もチェック指示と同様、出力する対象の会計伝票情報を特定する情報である特定情報を含む。また、閲覧操作とは、会計伝票情報を閲覧するための操作であり、会計端末２またはユーザ端末３における操作である。また、完了指示とは、会計伝票情報のチェックが完了した旨を示す情報である。
【００３７】
サーバ処理部１４は、サーバ受信部１３が受信した完了指示が一の月のすべての会計伝票情報のチェック完了を示す情報である場合、会計情報格納部１１から、一の月の次の月の１以上の会計伝票情報を取得する。
【００３８】
また、サーバ処理部１４は、一の月の会計伝票情報に対応するチェック情報の値を、チェック完了を示す情報に変更する。
【００３９】
なお、サーバ処理部１４は、チェック情報取得部１５が取得したチェック情報を取得しても良いし、サーバ受信部１３が受信したチェック完了の旨のチェック情報を取得しても良い。また、チェック情報取得部１５は、通常、サーバ受信部１３により受信された１または２以上の閲覧操作からチェック情報を取得する。
【００４０】
チェック情報取得部１５は、サーバ受信部１３が会計端末２から受信した情報を用いて、一の月の会計伝票情報のチェックが完了した旨のチェック情報を取得する。受信した情報とは、チェック情報そのものでも良いし、１または２以上の閲覧操作等でも良い。閲覧操作とは、会計端末２で会計伝票情報が閲覧された際に、会計処理者により入力された操作に関する情報である。閲覧操作は、入力されたキーや押下されたボタン等の情報でも良いし、入力されたキー等から得られる論理的な操作の意味を示す情報でも良い。論理的な操作の意味を示す情報とは、例えば、閲覧され、チェックが完了した会計伝票情報の取引日を示す情報、閲覧された、チェックが完了した会計伝票情報の取引の月を示す情報等である。
【００４１】
チェック情報取得部１５は、サーバ受信部１３が受信したチェック情報を取得する。また、チェック情報取得部１５は、１または２以上の閲覧操作が予め決められた条件を満たしたことを検知した場合に、一の月の会計伝票情報のチェックが完了した旨のチェック情報を取得しても良い。なお、ここで、「予め決められた条件を満たした」とは、（１）一の月の各会計伝票情報に対して、すべてチェックが付与されたこと、（２）一の月の各会計伝票情報がすべて会計端末２で出力されたこと等である。
【００４２】
サーバ蓄積部１６は、サーバ受信部１３が受信した会計伝票情報を会計情報格納部１１に蓄積する。また、サーバ蓄積部１６は、チェック情報取得部１５が取得したチェック情報をチェック情報格納部１２に蓄積しても良い。
【００４３】
サーバ送信部１７は、出力指示またはチェック指示に対応する１以上の会計伝票情報を会計情報格納部１１から取得し、当該取得した１以上の会計伝票情報を、会計端末２またはユーザ端末３に送信する。なお、この会計端末２またはユーザ端末３は、出力指示またはチェック指示を送信してきた端末である。また、サーバ送信部１７は、サーバ処理部１４が取得した１以上の会計伝票情報を会計端末２に送信しても良い。
【００４４】
会計端末２を構成する会計端末格納部２１は、会計処理者を識別する会計処理者識別子を格納し得る。ここで、会計処理者識別子とは、会計処理者であることを識別する情報でも良い。つまり、会計処理者識別子は、一の会計処理者を識別する情報でも、会計処理者であることを示すユーザ種類情報でも良い。ユーザ種類情報とは、ユーザの種類を示す情報であり、通常、会計処理者または顧問先ユーザである。
【００４５】
会計端末受付部２２は、会計伝票情報を含む情報の送信指示、会計伝票情報のチェックのための出力を指示するチェック指示、会計伝票情報の出力指示を受け付ける。また、会計端末受付部２２は、会計伝票情報のチェック完了の完了指示を受け付けても良い。また、会計端末受付部２２は、１以上の会計伝票情報の閲覧操作を受け付ける。さらに、会計端末受付部２２は、会計処理者の会計端末２から一の月の会計伝票情報のチェックが完了したか否かの情報を受け付けても良い。ここで、完了指示は、会計伝票情報の単位でも良いし、月の単位でも良い。月の単位の完了指示とは、ある月のすべての会計伝票情報に対するチェック完了の旨の情報入力である。また、出力指示は、出力する会計伝票情報を特定する特定情報を含む。この特定情報は、例えば、会計伝票情報の検索式、一の月を示す情報（例えば、「２０１３年２月」など）、一の月を示す情報と顧問先の企業を識別する情報等である。また、ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。送信指示等の入力手段は、テンキーやキーボードやマウスやメニュー画面によるもの等、何でも良い。会計端末受付部２２は、テンキーやキーボード等の入力手段のデバイスドライバーや、メニュー画面の制御ソフトウェア等で実現され得る。
【００４６】
会計端末判断部２３は、会計端末出力部２６が出力した会計伝票情報が予め決められた条件を満たした場合に、一の月の会計伝票情報のチェックが完了したと判断する。また、会計端末判断部２３は、受け付けられた閲覧操作が予め決められた条件を満たした場合に、一の月の会計伝票情報のチェックが完了したと判断しても良い。
【００４７】
会計端末送信部２４は、送信指示に従って、会計伝票情報を、サーバ装置１に送信する。会計端末送信部２４は、入力された会計伝票情報と、会計端末格納部２１の会計処理者識別子とを有する会計情報をサーバ装置１に送信しても良い。また、会計端末送信部２４は、完了指示をサーバ装置１に送信しても良い。また、会計端末送信部２４は、１または２以上の閲覧操作から取得されるチェック情報、または１または２以上の閲覧操作を送信しても良い。また、会計端末送信部２４は、会計端末判断部２３が一の月の会計伝票情報のチェックが完了したと判断した場合、一の月の会計伝票情報のチェックが完了した旨を示すチェック情報を送信しても良い。さらに、会計端末送信部２４は、会計端末受付部２２が一の月の会計伝票情報のチェックが完了した旨のチェック情報を受け付けた場合、当該チェック情報をサーバ装置１に送信しても良い。
【００４８】
会計端末受信部２５は、出力指示またはチェック指示に従って、サーバ装置１から、１以上の会計伝票情報を受信する。
【００４９】
会計端末出力部２６は、会計端末受信部２５が受信した１以上の会計伝票情報を出力する。また、会計端末出力部２６は、会計端末判断部２３が一の月の会計伝票情報のチェックが完了したと判断した場合、一の月の会計伝票情報のチェックが完了したか否かを、会計処理者に問い合わせる画面を出力しても良い。ここで、「チェックが完了したとの判断」とは、例えば、一の月のすべての会計伝票情報が出力され、かつ、画面が閉じられたことである。また、「チェックが完了したとの判断」とは、例えば、会計処理者が一の月のすべての会計伝票情報に対して、チェック完了の旨の情報を入力したことでも良い。また、会計端末出力部２６が出力する画面の情報は、会計端末出力部２６が保持していても良い。画面の情報とは、画面そのものでも良いし、画面を構成する情報（例えば、ＨＴＭＬやＸＭＬで記載された画面の定義情報）等でも良い。
【００５０】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５１】
ユーザ端末３を構成するユーザ端末格納部３１は、ユーザを識別するユーザ識別子を格納し得る。ここで、ユーザ識別子とは、顧問先ユーザであることを識別する情報でも良い。つまり、ユーザ識別子は、一の顧問先ユーザを識別する情報でも、顧問先ユーザであることを示すユーザ種類情報でも、顧問先を識別する情報でも良い。
【００５２】
ユーザ端末受付部３２は、会計伝票情報を含む情報の送信指示、および会計伝票情報の出力指示等を受け付ける。送信指示等の入力手段は、キーボードやマウスやメニュー画面によるもの等、何でも良い。ユーザ端末受付部３２は、キーボード等の入力手段のデバイスドライバーや、メニュー画面の制御ソフトウェア等で実現され得る。
【００５３】
ユーザ端末送信部３３は、ユーザ端末受付部３２で受け付けられた送信指示に従って、会計伝票情報をサーバ装置１に送信する。なお、サーバ装置１に送信される会計伝票情報は、新たに入力された会計伝票情報、更新される会計伝票情報等である。
【００５４】
ユーザ端末受信部３４は、ユーザ端末受付部３２で受け付けられた出力指示に従って、サーバ装置１から１以上の会計伝票情報を受信する。
【００５５】
ユーザ端末出力部３５は、ユーザ端末受信部３４が受信した１以上の会計伝票情報を出力する。
【００５６】
会計情報格納部１１、チェック情報格納部１２、会計端末格納部２１、およびユーザ端末格納部３１は、不揮発性の記録媒体が好適であるが、揮発性の記録媒体でも実現可能である。会計情報格納部１１等に会計情報等が記憶される過程は問わない。例えば、記録媒体を介して会計情報等が会計情報格納部１１等で記憶されるようになってもよく、通信回線等を介して送信された会計情報等が会計情報格納部１１等で記憶されるようになってもよく、あるいは、入力デバイスを介して入力された会計情報等が会計情報格納部１１等で記憶されるようになってもよい。
【００５７】
サーバ受信部１３、会計端末受信部２５、およびユーザ端末受信部３４は、通常、無線または有線の通信手段で実現されるが、放送を受信する手段で実現されても良い。
【００５８】
サーバ処理部１４、チェック情報取得部１５、サーバ蓄積部１６、および会計端末判断部２３は、通常、ＭＰＵやメモリ等から実現され得る。サーバ処理部１４等の処理手順は、通常、ソフトウェアで実現され、当該ソフトウェアはＲＯＭ等の記録媒体に記録されている。但し、ハードウェア（専用回路）で実現しても良い。
【００５９】
サーバ送信部１７、会計端末送信部２４、およびユーザ端末送信部３３は、通常、無線または有線の通信手段で実現されるが、放送手段で実現されても良い。
【００６０】
会計端末出力部２６、およびユーザ端末出力部３５は、ディスプレイやスピーカー等の出力デバイスを含むと考えても含まないと考えても良い。会計端末出力部２６等は、出力デバイスのドライバーソフトまたは、出力デバイスのドライバーソフトと出力デバイス等で実現され得る。
【００６１】
次に、会計処理システムの動作について説明する。まず、サーバ装置１の動作について、図３のフローチャートを用いて説明する。
【００６２】
（ステップＳ３０１）サーバ受信部１３は、会計端末２またはユーザ端末３から、会計伝票情報を受信したか否かを判断する。会計伝票情報を受信すればステップＳ３０２に行き、会計伝票情報を受信しなければステップＳ３０５に行く。なお、ここで受信される会計伝票情報は、新しく蓄積される会計伝票情報または更新される会計伝票情報である。また、ここで受信される会計伝票情報は、２以上の会計伝票情報であっても良いし、会計伝票情報の一部でも良い。受信される会計伝票情報が会計伝票情報の一部である場合、受信される会計伝票情報は、通常、更新される会計伝票情報の箇所の情報である。
【００６３】
（ステップＳ３０２）サーバ処理部１４は、ステップＳ３０１で受信された会計伝票情報が更新条件を満たすか否かを判断する。更新条件を満たす場合はステップＳ３０３に行き、更新条件を満たさない場合はステップＳ３０４に行く。
【００６４】
なお、更新条件とは、会計伝票情報を更新するための条件である。また、サーバ処理部１４は、例えば、ステップＳ３０１で受信された会計伝票情報が新しく蓄積される会計伝票情報であれば、更新条件を満たすと判断する。なお、ステップＳ３０１で受信された会計伝票情報は、例えば、新たな蓄積か、更新かを判断するためのフラグを有しており、サーバ処理部１４は、かかるフラグを取得し、新たな蓄積か更新かを判断しても良い。また、ステップＳ３０１で受信された会計伝票情報がすべての情報を含む会計伝票情報である場合は新しく蓄積される会計伝票情報であり、一部の情報のみを含む会計伝票情報である場合は更新される会計伝票情報であと判断されても良い。
【００６５】
また、サーバ処理部１４は、会計伝票情報を更新される会計伝票情報であり、かつ、会計伝票情報を送信してきたユーザの種類が顧問先ユーザであり、かつ、チェック情報が「チェック中」である場合に、更新条件を満たさない、と判断しても良い。つまり、サーバ処理部１４は、ステップＳ３０１で受信された情報のうちのフラグを取得し、更新される会計伝票情報であるか否かを判断する。更新される会計伝票情報である場合、サーバ処理部１４は、会計伝票情報を送信してきたユーザ識別子、またはユーザの種類情報を取得する。取得した情報がユーザ識別子である場合、サーバ処理部１４は、ユーザ識別子から、ユーザ管理表を用いて、ユーザの種類情報を取得する。ユーザの種類情報が「顧問先ユーザ」である場合、サーバ処理部１４は、会計伝票情報に対応する取引日付を取得し、当該取引日付に対応するチェック情報をチェック情報格納部１２から取得する。次に、サーバ処理部１４は、チェック情報が「チェック中」であるか否かを判断し、「チェック中」であれば、サーバ処理部１４は、更新条件を満たさない、と判断する。なお、サーバ処理部１４は、ユーザの種類が会計処理者でも、会計伝票情報を更新される会計伝票情報であり、かつ、チェック情報が「チェック中」である場合に、更新条件を満たさない、と判断しても良い。
【００６６】
また、例えば、ステップＳ３０１で受信された会計伝票情報が新しく蓄積される会計伝票情報でも、更新される会計伝票情報でも、サーバ処理部１４は、会計伝票情報を送信してきたユーザの種類が顧問先ユーザであり、かつ、チェック情報が「チェック中」である場合に、更新条件を満たさない、と判断しても良い。
【００６７】
（ステップＳ３０３）サーバ蓄積部１６は、サーバ受信部１３が受信した会計伝票情報を会計情報格納部１１に蓄積する。ステップＳ３０１に戻る。
【００６８】
（ステップＳ３０４）サーバ送信部１７は、会計伝票情報を更新できない旨のエラーメッセージを、会計伝票情報を送信してきた端末に送信する。なお、例えば、サーバ送信部１７は、予めエラーメッセージを保持している。ステップＳ３０１に戻る。
【００６９】
（ステップＳ３０５）サーバ受信部１３は、会計端末２から、会計伝票情報のチェック指示を受け付けたか否かを判断する。チェック指示を受け付ければステップＳ３０６に行き、チェック指示を受け付けなければステップＳ３０８に行く。
【００７０】
（ステップＳ３０６）サーバ送信部１７は、チェック指示に対応する１以上の会計伝票情報を会計情報格納部１１から取得する。なお、通常、チェック指示は、顧問先を特定する情報、およびチェックする会計伝票情報の取引月を特定する情報を含み、サーバ送信部１７は、かかる顧問先を特定する情報および取引月を特定する情報を用いて、当該顧問先の当該取引月に対応する１以上の会計伝票情報を取得する。
【００７１】
（ステップＳ３０７）サーバ送信部１７は、ステップＳ３０６で取得した１以上の会計伝票情報を会計端末２に送信する。ステップＳ３０１に戻る。
【００７２】
（ステップＳ３０８）サーバ受信部１３は、会計端末２またはユーザ端末３から出力指示を受信したか否かを判断する。出力指示を受信すればステップＳ３０９に行き、出力指示を受信しなければステップＳ３１１に行く。
【００７３】
（ステップＳ３０９）サーバ送信部１７は、出力指示に対応する１以上の会計伝票情報を会計情報格納部１１から取得する。なお、出力指示は、顧問先を特定する情報、およびチェックする会計伝票情報の取引月を特定する情報を含み、サーバ送信部１７は、かかる顧問先を特定する情報および取引月を特定する情報を用いて、当該顧問先の当該取引月に対応する１以上の会計伝票情報を取得する。
【００７４】
（ステップＳ３１０）サーバ送信部１７は、ステップＳ３０９で取得した１以上の会計伝票情報を会計端末２またはユーザ端末３に送信する。ステップＳ３０１に戻る。
【００７５】
（ステップＳ３１１）サーバ受信部１３は、チェック情報を会計端末２から受信したか否かを判断する。チェック情報を受信すればステップＳ３１２に行き、チェック情報を受信しなければステップＳ３１５に行く。
【００７６】
（ステップＳ３１２）チェック情報取得部１５は、ステップＳ３１１で受信したチェック情報が、一の月の会計伝票情報のチェックの完了を示す情報であるか否かを判断する。チェックの完了を示す情報である場合はステップＳ３１３に行き、チェックの完了を示す情報でない場合はステップＳ３１４に行く。
【００７７】
（ステップＳ３１３）チェック情報取得部１５は、一の月の会計伝票情報のチェックの完了を示すチェック情報を取得する。そして、サーバ蓄積部１６は、チェック情報取得部１５が取得したチェック情報を会計情報格納部１１に蓄積する。ステップＳ３０１に戻る。
【００７８】
（ステップＳ３１４）チェック情報取得部１５は、一の月の会計伝票情報をチェック中であることを示すチェック情報を取得する。そして、サーバ蓄積部１６は、チェック情報取得部１５が取得したチェック情報を会計情報格納部１１に蓄積する。ステップＳ３０１に戻る。
【００７９】
（ステップＳ３１５）サーバ受信部１３は、１または２以上の閲覧操作を会計端末２から受信したか否かを判断する。閲覧操作を受信すればステップＳ３１６に行き、閲覧操作を受信しなければステップＳ３０１に戻る。なお、ここで、閲覧操作とは、会計伝票情報の閲覧に関する操作を示す情報である。操作を示す情報とは、例えば、操作列や、操作の論理的な意味を示す情報等である。
【００８０】
（ステップＳ３１６）チェック情報取得部１５は、１または２以上の閲覧操作を用いて、チェック情報を取得する。ステップＳ３１０に戻る。１または２以上の閲覧操作からチェック情報を取得する方法は上述した。
【００８１】
なお、図３のフローチャートにおいて、顧問先ユーザは、会計処理者がチェック中の会計伝票情報の更新が行えなかった。しかし、会計処理者がチェック中の会計伝票情報について、顧問先ユーザは会計伝票情報の閲覧をも行えないようにしても良い。かかる場合、サーバ処理部１４は、ステップＳ３０８で受信された出力指示に対応する会計伝票情報に対応するチェック情報が「チェック中」であり、出力指示を送信してきたユーザの種類が顧問先ユーザである場合に、更新条件を満たさないと判断し、サーバ送信部１７は、１以上の会計伝票情報を送信しない。
【００８２】
また、図３のフローチャートにおいて、顧問先ユーザは、会計処理者がチェック中の月でも、新しい会計伝票情報を蓄積できた。しかし、会計処理者がチェック中の月において、顧問先ユーザは、新しい会計伝票情報を蓄積できないようにしても良い。つまり、ステップＳ３０２において、更新条件は新しい会計伝票情報を蓄積するための条件でもあり、
（１）「蓄積または更新しようとする会計伝票情報の取引日付が、会計処理者がチェック中の月の日付ではないこと」または、
（２）「蓄積または更新しようとする会計伝票情報の取引日付が、会計処理者がチェック中の月の日付であること」および「会計伝票情報を送信してきたユーザの種類情報が会計処理者であること」
を満たすことである。
【００８３】
さらに、図３のフローチャートにおいて、電源オフや処理終了の割り込みにより処理は終了する。
【００８４】
次に、会計端末２の動作について、図４のフローチャートを用いて説明する。
【００８５】
（ステップＳ４０１）会計端末受付部２２は、会計伝票情報を含む情報の送信指示を受け付けたか否かを判断する。送信指示を受け付ければステップＳ４０２に行き、送信指示を受け付けなければステップＳ４０４に行く。
【００８６】
（ステップＳ４０２）会計端末送信部２４は、会計端末格納部２１から会計処理者識別子を読み出す。そして、会計端末送信部２４は、ステップＳ４０１で受け付けられた送信指示と、読み出した会計処理者識別子とを用いて、送信する情報を構成する。なお、この送信する情報も送信指示である。
【００８７】
（ステップＳ４０３）会計端末送信部２４は、ステップＳ４０２で構成した送信指示をサーバ装置１に送信する。ステップＳ４０１に戻る。
【００８８】
（ステップＳ４０４）会計端末受付部２２は、会計伝票情報のチェック指示を受け付けたか否かを判断する。チェック指示を受け付ければステップＳ４０５に行き、チェック指示を受け付けなければステップＳ４１６に行く。
【００８９】
（ステップＳ４０５）会計端末送信部２４は、会計端末格納部２１から会計処理者識別子を読み出す。そして、会計端末送信部２４は、ステップＳ４０４で受け付けられたチェック指示と、読み出した会計処理者識別子とを用いて、送信する情報を構成する。なお、この送信する情報もチェック指示である。
【００９０】
（ステップＳ４０６）会計端末送信部２４は、ステップＳ４０５で構成したチェック指示をサーバ装置１に送信する。
【００９１】
（ステップＳ４０７）会計端末受信部２５は、チェック指示の送信に従って、サーバ装置１から１以上の会計伝票情報を受信したか否かを判断する。会計伝票情報を受信すればステップＳ４０８に行き、会計伝票情報を受信しなければステップＳ４０７に戻る。
【００９２】
（ステップＳ４０８）会計端末出力部２６は、会計端末受信部２５が受信した１以上の会計伝票情報を出力する。
【００９３】
（ステップＳ４０９）会計端末受付部２２は、出力されている会計伝票情報の閲覧のための操作（閲覧操作）を受け付けたか否かを判断する。閲覧操作を受け付ければステップＳ４１０に行き、閲覧操作を受け付けなければステップＳ４０９に戻る。なお、閲覧操作は、例えば、会計伝票情報のスクロース操作、次の会計伝票情報の表示のための操作等である。
【００９４】
（ステップＳ４１０）会計端末出力部２６は、ステップＳ４０９で受け付けた閲覧操作に従って、会計伝票情報の出力を変更する。ここで、出力の変更とは、画面のスクロール、次の会計伝票情報の表示等である。
【００９５】
（ステップＳ４１１）会計端末判断部２３は、受け付けた閲覧操作が、会計伝票情報の閲覧終了を示す操作であるか否かを判断する。閲覧終了を示す操作である場合はステップＳ４１２に行き、閲覧終了を示す操作でない場合はステップＳ４０９に戻る。なお、閲覧終了を示す操作とは、例えば、会計伝票情報を閲覧している画面を終了させる操作、閲覧終了指示を示す操作等である。
【００９６】
（ステップＳ４１２）会計端末判断部２３は、受け付けられた１以上の閲覧操作が予め決められた条件（一の月の会計伝票情報のチェック終了条件）を満たしているか否かを判断する。予め決められた条件を満たしている場合はステップＳ４１３に行き、満たしていない場合はステップＳ４１４に行く。
【００９７】
（ステップＳ４１３）会計端末送信部２４は、送信するチェック情報を「一の月の会計伝票情報のチェック完了」とする。なお、チェック情報は、チェックを完了した一の月を識別する情報（例えば、「２０１２年１２月」等）を有する。
【００９８】
（ステップＳ４１４）会計端末送信部２４は、送信するチェック情報を「一の月の会計伝票情報のチェック中」とする。なお、チェック情報は、一の月を識別する情報（例えば、「２０１３年１月」等）を有する。
【００９９】
（ステップＳ４１５）会計端末送信部２４は、ステップＳ４１３またはステップＳ４１４で取得したチェック情報をサーバ装置１に送信する。ステップＳ４０１に戻る。
【０１００】
（ステップＳ４１６）会計端末受付部２２は、一の月の会計伝票情報のチェック完了を示す完了指示を受け付けたか否かを判断する。完了指示を受け付ければステップＳ４１７に行き、完了指示を受け付けなければステップＳ４１９に行く。
【０１０１】
（ステップＳ４１７）会計端末送信部２４は、送信するチェック情報を「一の月の会計伝票情報のチェック完了」とする。
【０１０２】
（ステップＳ４１８）会計端末送信部２４は、ステップＳ４１７で取得したチェック情報をサーバ装置１に送信する。ステップＳ４０１に戻る。なお、ここで送信される情報には、通常、顧問先の識別子、チェックを完了した月を示す情報が含まれる。
【０１０３】
（ステップＳ４１９）会計端末受付部２２は、会計伝票情報の出力指示を受け付けたか否かを判断する。出力指示を受け付けた場合はステップＳ４２０に行き、出力指示を受け付けない場合はステップＳ４０１に戻る。
【０１０４】
（ステップＳ４２０）会計端末送信部２４は、会計端末格納部２１から会計処理者識別子を読み出す。そして、会計端末送信部２４は、ステップＳ４１９で受け付けられた出力指示と、読み出した会計処理者識別子とを用いて、送信する情報を構成する。なお、この送信する情報も出力指示である。
【０１０５】
（ステップＳ４２１）会計端末送信部２４は、ステップＳ４２０で構成した出力指示をサーバ装置１に送信する。
【０１０６】
（ステップＳ４２２）会計端末受信部２５は、ステップＳ４２１で送信した出力指示に従って、サーバ装置１から、１以上の会計伝票情報を受信したか否かを判断する。会計伝票情報を受信すればステップＳ４２３に行き、会計伝票情報を受信しなければステップＳ４０１に戻る。
【０１０７】
（ステップＳ４２３）会計端末出力部２６は、会計端末受信部２５が受信した１以上の会計伝票情報を出力する。ステップＳ４０１に戻る。
【０１０８】
なお、図４のフローチャートにおいて、電源オフや処理終了の割り込みにより処理は終了する。
【０１０９】
また、図４のフローチャートにおいて、ステップＳ４１２からステップＳ４１５の処理（チェック情報を自動取得し、送信する処理）は、図５のフローチャートに示す処理に変更しても良い。
【０１１０】
（ステップＳ５１２）会計端末判断部２３は、受け付けられた１以上の閲覧操作が予め決められた条件（一の月の会計伝票情報のチェック終了条件）を満たしており、一の月の会計伝票情報のチェックが終了したと推定できるか否かを判断する。チェックが終了したと推定できる場合はステップＳ５１３に行き、推定できない場合はステップＳ５１６に行く。
【０１１１】
（ステップＳ５１３）会計端末出力部２６は、一の月の会計伝票情報のチェックが終了したか否かを入力させるためのパネル（画面）を出力する。なお、このパネルの情報は、例えば、会計端末出力部２６が予め保持している。
【０１１２】
（ステップＳ５１４）会計端末受付部２２は、ステップＳ５１３で出力されたパネルに対する入力を受け付けたか否かを判断する。入力を受け付ければステップＳ５１５に行き、入力を受け付けなければステップＳ５１４に戻る。
【０１１３】
（ステップＳ５１５）会計端末送信部２４は、入力に従ったチェック情報を構成する。なお、このチェック情報は、チェック対象の会計伝票情報の月を識別する情報を含む。
【０１１４】
（ステップＳ５１６）会計端末送信部２４は、チェック中である旨を示すチェック情報を構成する。なお、このチェック情報は、通常、顧問先の識別子、チェック対象の会計伝票情報の月を識別する情報を含む。
【０１１５】
（ステップＳ５１６）会計端末送信部２４は、構成したチェック情報をサーバ装置１に送信する。ステップＳ４０１に戻る。
【０１１６】
次に、ユーザ端末３の動作について説明する。まず、ユーザ端末受付部３２は、新たに蓄積する会計伝票情報、または更新する会計伝票情報を含む情報の送信指示、または会計伝票情報の出力指示を受け付ける。送信指示が受け付けられた場合、ユーザ端末送信部３３は、ユーザ端末格納部３１からユーザ識別子を読み出す。そして、ユーザ端末送信部３３は、ユーザ識別子と送信指示とから送信する情報を構成する。この情報も送信指示とする。次に、ユーザ端末送信部３３は、構成した送信指示をサーバ装置１に送信する。
【０１１７】
また、出力指示が受け付けられた場合、ユーザ端末送信部３３は、ユーザ端末格納部３１からユーザ識別子を読み出す。そして、ユーザ端末送信部３３は、ユーザ識別子と出力指示とから送信する情報を構成する。この情報も出力指示とする。次に、ユーザ端末送信部３３は、構成した出力指示をサーバ装置１に送信する。そして、出力指示の送信に応じて、ユーザ端末受信部３４は、サーバ装置１から１以上の会計伝票情報を受信する。次に、ユーザ端末出力部３５は、ユーザ端末受信部３４が受信した１以上の会計伝票情報を出力する。
【０１１８】
以下、本実施の形態における会計処理システムの具体的な動作について説明する。会計処理システムの概念図は図１である。
【０１１９】
今、サーバ装置１の会計情報格納部１１は、図６に示す会計情報管理表を保持している。会計情報管理表は、顧問先ユーザまたは会計処理者が入力し、サーバ装置１がユーザ端末３または会計端末２から受信し、蓄積した１以上の会計情報を格納している表である。ここでの会計情報管理表は、「ＩＤ」「項目」「仕訳」「金額」「取引日付」「代金受取人名」「最終更新者」等の属性を有する多数のレコードを格納している。このレコードは、取引を示す情報である。また、「ＩＤ」はレコードを識別する情報である。「項目」は取引の内容（購入した物品、利用したサービス等）である。「仕訳」は、仕訳の種類を示す。「金額」は購入金額を示す。「取引日付」は商取引があった日を示す。「代金受取人名」は商品やサービスの対価を受け取る者を示す。「最終更新者」は取引のレコードを最終的に更新した者を示す。「最終更新者」には、ここでは、ユーザ識別子または会計処理者識別子が格納される。また、図６の会計情報管理表は、ここでは、会社を識別する組織識別子「Ｃ００１」の会計情報管理表である、とする。なお、ここでは、会計情報格納部１１は、会社ごとに会計情報管理表を保持しているが、複数の会社の会計情報を、一の会計情報管理表で管理しても良いことは言うまでもない。また、図６において、「最終更新者」は、例えば、最終更新者が会計処理者か、顧問先ユーザかを示す情報（ユーザ種類情報）を格納しても良い。
【０１２０】
また、会計情報格納部１１には、図７に示すユーザ管理表、図８に示す会計処理者管理表も格納されている、とする。
【０１２１】
ユーザ管理表は、顧問先ユーザの情報を管理する表である。ユーザ管理表は、「ＩＤ」「ユーザ識別子」「組織識別子」「氏名」等を有するレコードを１以上、格納している。「ＩＤ」はレコードを識別する情報である。「ユーザ識別子」は、顧問先ユーザを識別する情報である。「組織識別子」は組織を識別する情報であり、ここでは会社名であるが、会社ＩＤなどでも良い。「氏名」は、ユーザの氏名である。
【０１２２】
また、図８の会計処理者管理表は、会計処理者の情報を管理する表である。会計処理者管理表は、「ＩＤ」「会計処理者識別子」「顧問先識別子」「氏名」等を有するレコードを１以上、格納している。「ＩＤ」はレコードを識別する情報である。「会計処理者識別子」は、会計処理者を識別する情報である。「顧問先識別子」は顧問先を識別する情報であり、ここでは顧問先の会社の識別子である。「顧問先識別子」は、２以上の顧問先を識別する情報を有しても良い。また、「氏名」は、会計処理者の氏名である。
【０１２３】
さらに、チェック情報取得部１５は、図９に示すチェック情報管理表を保持している。チェック情報管理表は、ここでは、会計処理者による会計情報のチェックの状態を示すチェック情報を、各月ごとに管理している表である。チェック情報管理表は、「月」「チェック情報」を有する１以上のレコードを有する。「月」は、月を示し情報である。「チェック情報」は、チェックの状態を示す情報であり、ここでは「チェック済「０」」、「チェック中「１」」、「未チェック「２」」のいずれかの値を採り得る。図９において、２０１２年１２月の会計情報に対して、会計処理者のチェックが完了していることを示す。また、２０１３年１月の会計情報に対して、会計処理者のチェックが途中である（チェック中である）ことを示す。ここで、会計処理者の会計端末２を使用して、会計処理者がサーバ装置１からログアウトした場合でも、会計処理者のチェックが途中である状態は継続しえる。なお、図９に示すチェック情報管理表は、組織識別子「Ｃ００１」の会計伝票情報のチェック情報である。
【０１２４】
かかる状況において、以下の４つの具体例について説明する。
【０１２５】
（具体例１）
具体例１において、会計処理者によるチェック中の月の会計伝票情報について、顧問先ユーザは更新できない場合の処理について説明する。
【０１２６】
まず、ユーザ識別子「００１」で識別されるユーザは、２０１３年１月の会計伝票情報を出力する指示である出力指示を入力した、とする。
【０１２７】
次に、ユーザ端末３のユーザ端末受付部３２は、２０１３年１月の会計伝票情報の出力指示を受け付ける。そして、ユーザ端末送信部３３は、ユーザ端末格納部３１からユーザ識別子「００１」を読み出す。次に、ユーザ端末送信部３３は、ユーザ識別子「００１」と送信指示とから送信する情報を構成する。次に、ユーザ端末送信部３３は、構成した出力指示をサーバ装置１に送信する。
【０１２８】
次に、サーバ装置１のサーバ受信部１３は、ユーザ端末３から、２０１３年１月の会計伝票情報の出力指示を受信する。そして、サーバ送信部１７は、出力指示に対応する２０１３年１月の会計伝票情報を会計情報格納部１１から取得する。そして、サーバ送信部１７は、取得した２０１３年１月の会計伝票情報をユーザ端末３に送信する。
【０１２９】
次に、ユーザ端末３のユーザ端末受信部３４は、サーバ装置１から２０１３年１月の会計伝票情報を受信する。次に、ユーザ端末出力部３５は、ユーザ端末受信部３４が受信した２０１３年１月の会計伝票情報を画面上に出力する。
【０１３０】
次に、ユーザ識別子「００１」で識別されるユーザは、画面上に表示されている２０１３年３月１日の会計伝票情報のうち、「項目：コーヒー，仕訳：消耗品，金額（円）：６００，取引日付：２０１３／１／９，代金受取人名：ＢＢ株式会社，最終更新者：００１」のレコードの仕訳を「福利厚生費」に、画面上で修正し、更新する会計伝票情報を含む情報の送信指示を入力した、とする。
【０１３１】
すると、ユーザ端末３のユーザ端末受付部３２は、更新する会計伝票情報「仕訳：福利厚生費」を含む情報の送信指示（上記更新するレコードを識別する情報を含む）を受け付ける。次に、ユーザ端末送信部３３は、ユーザ端末格納部３１からユーザ識別子「００１」を読み出す。そして、ユーザ端末送信部３３は、ユーザ識別子と送信指示とから送信する情報を構成する。この情報も送信指示とする。次に、ユーザ端末送信部３３は、構成した送信指示をサーバ装置１に送信する。
【０１３２】
次に、サーバ装置１のサーバ受信部１３は、ユーザ端末３から、更新する会計伝票情報（レコードと考えても良い）を識別する情報、更新する会計伝票情報「仕訳：福利厚生費」、およびユーザ識別子「００１」を含む情報（会計伝票情報と言っても良い情報）を受信する。
【０１３３】
次に、サーバ処理部１４は、以下のように、受信された会計伝票情報が更新条件を満たすか否かを判断する。つまり、サーバ処理部１４は、既に存在するレコードを識別する情報を含むので、受信された情報が会計伝票情報を更新するための情報である、と判断する。次に、サーバ処理部１４は、更新するレコードの取引日付「２０１３／１／９」を、図６の会計情報管理表から取得する。そして、サーバ処理部１４は、取引日付「２０１３／１／９」から「２０１３／１」を取得する。次に、サーバ処理部１４は、「２０１３／１」と対になるチェック情報「チェック中「１」」を、図９のチェック情報管理表から取得する。次に、サーバ処理部１４は、受信された情報の中から、ユーザ識別子「００１」を取得する。そして、サーバ処理部１４は、ユーザ識別子「００１」をキーとして、図７、図８の表を検索し、図７のユーザ識別子に合致することを検知する。そして、サーバ処理部１４は、ユーザ識別子「００１」が顧問先ユーザを識別する識別子である、と判断する。つまり、サーバ処理部１４は、ユーザが顧問先ユーザである、と判断する。そして、サーバ処理部１４は、受信された会計伝票情報は更新される会計伝票情報であり、かつ、会計伝票情報を送信してきたユーザの種類が顧問先ユーザであり、かつ、チェック情報が「チェック中」であるので、更新条件を満たさない、と判断する。
【０１３４】
次に、サーバ送信部１７は、会計伝票情報を更新できない旨のエラーメッセージを、ユーザ識別子「００１」のユーザ端末３に送信する。
【０１３５】
次に、ユーザ識別子「００１」のユーザ端末３のユーザ端末受信部３４は、サーバ装置１からエラーメッセージを受信する。次に、ユーザ端末出力部３５は、ユーザ端末受信部３４が受信したエラーメッセージを出力する。
【０１３６】
以上、本具体例において、会計処理者によるチェック中の月の会計情報について、顧問先ユーザは更新できないため、会計処理者のチェック作業の効率化を図り、正確な決済業務が可能となる。
【０１３７】
なお、本具体例において、ユーザ識別子「００１」で識別されるユーザの種類の特定方法は問わない。例えば、ユーザ識別子または会計処理者識別子と対応付けて、ユーザ種類情報が管理されており、かかる情報から、ユーザ識別子「００１」で識別されるユーザの種類は、顧問先ユーザである、と特定されても良い。
【０１３８】
（具体例２）
具体例２において、会計処理者がチェック中の月において、顧問先ユーザが、新たな会計伝票情報を蓄積できない処理例について説明する。
【０１３９】
まず、ユーザ識別子「００１」で識別されるユーザは、２０１３年１月の会計伝票情報のうち、一つの会計伝票情報の入力を忘れていたことを思い出した、とする。そして、ユーザは、会計伝票情報「項目：宿泊代，仕訳：旅費，金額（円）：１２５００，取引日付：２０１３／１／３０，代金受取人名：ＸＸ株式会社，最終更新者：００１」を、ユーザ端末３に入力した、とする。
【０１４０】
すると、ユーザ端末３のユーザ端末受付部３２は、新たに蓄積する会計伝票情報「項目：宿泊代，仕訳：旅費，金額（円）：１２５００，取引日付：２０１３／１／３０，代金受取人名：ＸＸ株式会社，最終更新者：００１」、およびその送信指示を受け付ける。
【０１４１】
次に、ユーザ端末送信部３３は、ユーザ端末格納部３１からユーザ識別子「００１」を読み出す。そして、ユーザ端末送信部３３は、ユーザ識別子と送信指示とから送信する情報を構成する。この情報も送信指示とする。次に、ユーザ端末送信部３３は、構成した送信指示をサーバ装置１に送信する。
【０１４２】
次に、サーバ装置１のサーバ受信部１３は、ユーザ端末３から、新たに蓄積する会計伝票情報「項目：宿泊代，仕訳：旅費，金額（円）：１２５００，取引日付：２０１３／１／３０，代金受取人名：ＸＸ株式会社，最終更新者：００１」を受信する。なお、この会計伝票情報は、例えば、新たな蓄積であることを示すフラグを有している、とする。
【０１４３】
次に、サーバ処理部１４は、以下のように、受信された会計伝票情報が更新条件を満たすか否かを判断する。つまり、サーバ処理部１４は、受信された会計伝票情報のフラグから、受信された会計伝票情報が新たに蓄積する会計伝票情報である、と判断する。
【０１４４】
次に、サーバ処理部１４は、更新するレコードの取引日付「２０１３／１／３０」を、受信した会計伝票情報から取得する。そして、サーバ処理部１４は、取引日付「２０１３／１／３０」から「２０１３／１」を取得する。次に、サーバ処理部１４は、「２０１３／１」と対になるチェック情報「チェック中「１」」を、図９のチェック情報管理表から取得する。次に、サーバ処理部１４は、受信された情報の中から、ユーザ識別子「００１」を取得する。そして、サーバ処理部１４は、ユーザ識別子「００１」をキーとして、図７、図８の表を検索し、図７のユーザ識別子に合致することを検知する。そして、サーバ処理部１４は、ユーザ識別子「００１」が顧問先ユーザを識別する識別子である、と判断する。つまり、サーバ処理部１４は、ユーザが顧問先ユーザである、と判断する。そして、サーバ処理部１４は、受信された会計伝票情報は蓄積される会計伝票情報であり、かつ、会計伝票情報を送信してきたユーザの種類が顧問先ユーザであり、かつ、チェック情報が「チェック中」であるので、更新条件を満たさない、と判断する。
【０１４５】
次に、サーバ送信部１７は、会計伝票情報を蓄積できない旨のエラーメッセージを、ユーザ識別子「００１」のユーザ端末３に送信する。
【０１４６】
次に、ユーザ識別子「００１」のユーザ端末３のユーザ端末受信部３４は、サーバ装置１からエラーメッセージを受信する。次に、ユーザ端末出力部３５は、ユーザ端末受信部３４が受信したエラーメッセージを出力する。
【０１４７】
以上、本具体例において、会計処理者によるチェック中の月の会計情報について、顧問先ユーザは、新たな会計伝票情報を追記できないため、会計処理者のチェック作業の効率化を図り、正確な決済業務が可能となる。
【０１４８】
（具体例３）
具体例３において、会計処理者の一の月の会計伝票情報のチェックが完了したことを自動判断し、チェック情報を更新する処理例について説明する。また、具体例３において、会計処理者の一の月の会計伝票情報のチェックが完了した場合に、次の月の会計伝票情報のチェックのために、自動的に、次の月の会計伝票情報を会計処理者の会計端末２に送信する処理例についても説明する。
【０１４９】
会計処理者識別子「１０２」で識別される会計処理者は、顧問先識別子「Ｃ００１」で識別される顧問先の２０１３年１月の会計伝票情報をチェックするために、２０１３年１月の会計伝票情報のチェック指示を入力した、とする。なお、顧問先識別子「Ｃ００１」で識別される顧問先の２０１３年１月の会計伝票情報は、現在、チェック中である。
【０１５０】
次に、会計端末受付部２２は、顧問先識別子「Ｃ００１」で識別される顧問先の２０１３年１月の会計伝票情報のチェック指示を受け付ける。
【０１５１】
次に、会計端末送信部２４は、会計端末格納部２１から会計処理者識別子「１０２」を読み出す。そして、会計端末送信部２４は、受け付けられたチェック指示と、読み出した会計処理者識別子とを用いて、送信するチェック指示「チェック  会計処理者識別子：１０２，顧問先識別子：Ｃ００１，期間：２０１３年１月」を構成する。
【０１５２】
会計端末送信部２４は、構成したチェック指示をサーバ装置１に送信する。
【０１５３】
次に、サーバ受信部１３は、会計端末２から、会計伝票情報のチェック指示「チェック  会計処理者識別子：１０２，顧問先識別子：Ｃ００１，期間：２０１３年１月」を受信する。
【０１５４】
次に、サーバ送信部１７は、チェック指示に対応する顧問先識別子「Ｃ００１」の２０１３年１月の会計伝票情報を会計情報格納部１１から取得し、会計端末２に送信する。
【０１５５】
次に、会計端末２の会計端末受信部２５は、チェック指示の送信に従って、サーバ装置１から２０１３年１月の会計伝票情報を受信する。そして、会計端末出力部２６は、会計端末受信部２５が受信した２０１３年１月の会計伝票情報を出力する。
【０１５６】
そして、会計処理者は、２０１３年１月の会計伝票情報に対して、次々とチェック（認証する旨のフラグ）を入力していく。なお、かかる入力は、会計伝票情報の閲覧操作でも良い。そして、会計端末受付部２２は、出力されている会計伝票情報のフラグ（認証する旨のフラグ）の入力を受け付けていく。なお、かかるフラグの入力も閲覧操作である、と言えるとする。
【０１５７】
そして、会計処理者は、２０１３年１月のすべての会計伝票情報を閲覧した（チェックした）とする。
【０１５８】
次に、会計端末判断部２３は、受け付けられた１以上の閲覧操作が予め決められた条件（一の月の会計伝票情報のチェック終了条件）を満たしている、と判断する。
【０１５９】
次に、会計端末送信部２４は、顧問先識別子「Ｃ００１」の２０１３年１月の会計伝票情報のチェック情報を「一の月の会計伝票情報のチェック完了「０」」とする。
【０１６０】
次に、会計端末送信部２４は、取得したチェック情報（顧問先識別子「Ｃ００１」、会計伝票情報を特定する情報「２０１３年１月」、チェック情報「０」を含む）をサーバ装置１に送信する。
【０１６１】
次に、サーバ装置１のサーバ受信部１３は、チェック情報を会計端末２から受信する。なお、ここで、受信される情報は、顧問先識別子「Ｃ００１」、会計伝票情報を特定する情報「２０１３年１月」、チェック情報「０」を含む。
【０１６２】
次に、チェック情報取得部１５は、受信したチェック情報が、一の月の会計伝票情報のチェックの完了を示す情報であると判断する。次に、チェック情報取得部１５は、顧問先識別子「Ｃ００１」の２０１３年１月の会計伝票情報のチェック情報「０」を取得する。そして、サーバ蓄積部１６は、顧問先識別子「Ｃ００１」の２０１３年１月の会計伝票情報のチェック情報「０」を会計情報格納部１１蓄積する。この結果、図９の２０１３／１のチェック情報が「０」に書き換えられる。
【０１６３】
次に、サーバ送信部１７は、顧問先識別子「Ｃ００１」、２０１３年２月の会計伝票情報を、図６の会計情報管理表から読み出す。そして、サーバ送信部１７は、顧問先識別子「Ｃ００１」、２０１３年２月の会計伝票情報を、会計端末２に送信する。なお、ここで、サーバ蓄積部１６は、顧問先識別子「Ｃ００１」の２０１３年２月の会計伝票情報のチェック情報「１」を会計情報格納部１１に蓄積しても良い。この結果、図９の２０１３／２のチェック情報が「１」に書き換えられても良い。
【０１６４】
次に、会計端末２の会計端末受信部２５は、顧問先識別子「Ｃ００１」、２０１３年２月の会計伝票情報を受信する。次に、会計端末出力部２６は、会計端末受信部２５が受信した顧問先識別子「Ｃ００１」、２０１３年２月の会計伝票情報を出力する。
【０１６５】
そして、会計処理者は、２０１３年１月の会計伝票情報と同様に、２０１３年２月の会計伝票情報のチェックを行っていく。
【０１６６】
以上、本具体例によれば、会計処理者の一の月の会計伝票情報のチェックが完了したことを自動判断し、チェック情報を更新する。また、本具体例によれば、会計処理者の一の月の会計伝票情報のチェックが完了した場合に、次の月の会計伝票情報のチェックのために、自動的に、次の月の会計伝票情報を会計処理者の会計端末２に送信できる。
【０１６７】
このことにより、月ごとの会計伝票情報のチェックが容易になり、かつ、必要な会計伝票情報のみ、チェック中の状態を保持することとなり、顧問先ユーザと会計処理者との協同で行う会計実務のグループウェアを効率的に高品質に行うことが可能となる。
【０１６８】
（具体例４）
具体例４において、会計処理者の一の月の会計伝票情報のチェックが完了したことを推定し、会計処理者に一の月の会計伝票情報のチェックが完了したか否かを問い合わせる処理例について説明する。
【０１６９】
会計処理者識別子「１０２」で識別される会計処理者は、顧問先識別子「Ｃ００１」で識別される顧問先の２０１３年１月の会計伝票情報をチェックするために、２０１３年１月の会計伝票情報のチェック指示を入力した、とする。なお、顧問先識別子「Ｃ００１」で識別される顧問先の２０１３年１月の会計伝票情報は、現在、チェック中である。
【０１７０】
次に、会計端末受付部２２は、顧問先識別子「Ｃ００１」で識別される顧問先の２０１３年１月の会計伝票情報のチェック指示を受け付ける。
【０１７１】
次に、会計端末送信部２４は、会計端末格納部２１から会計処理者識別子「１０２」を読み出す。そして、会計端末送信部２４は、受け付けられたチェック指示と、読み出した会計処理者識別子とを用いて、送信するチェック指示「チェック  会計処理者識別子：１０２，顧問先識別子：Ｃ００１，期間：２０１３年１月」を構成する。
【０１７２】
会計端末送信部２４は、構成したチェック指示をサーバ装置１に送信する。
【０１７３】
次に、サーバ受信部１３は、会計端末２から、会計伝票情報のチェック指示「チェック  会計処理者識別子：１０２，顧問先識別子：Ｃ００１，期間：２０１３年１月」を受信する。
【０１７４】
次に、サーバ送信部１７は、チェック指示に対応する顧問先識別子「Ｃ００１」の２０１３年１月の会計伝票情報を会計情報格納部１１から取得し、会計端末２に送信する。
【０１７５】
次に、会計端末２の会計端末受信部２５は、チェック指示の送信に従って、サーバ装置１から２０１３年１月の会計伝票情報を受信する。そして、会計端末出力部２６は、会計端末受信部２５が受信した２０１３年１月の会計伝票情報を出力する。
【０１７６】
そして、会計処理者は、２０１３年１月の会計伝票情報に対して、次々とチェック（認証する旨のフラグ）を入力していく。なお、かかる入力は、会計伝票情報の閲覧操作でも良い。そして、会計端末受付部２２は、出力されている会計伝票情報のフラグの入力（閲覧操作）を受け付けていく。
【０１７７】
そして、会計処理者は、２０１３年１月のすべての会計伝票情報を閲覧した（チェックした）とする。
【０１７８】
次に、会計端末判断部２３は、受け付けられた１以上の閲覧操作が予め決められた条件（一の月の会計伝票情報のチェック終了条件）を満たしている、と判断する。ここで、会計端末判断部２３は、会計処理者の一の月の会計伝票情報のチェックが完了したと、推定できた。
【０１７９】
次に、会計端末出力部２６は、顧問先識別子「Ｃ００１」の２０１３年１月の会計伝票情報のチェックが終了したか否かを入力させるためのパネル１００１を出力する（図１０参照）。
【０１８０】
次に、会計処理者「１０２」は、図１０のパネル１００１の「ＹＥＳ」ボタン１００２を押下する。すると、会計端末受付部２２は、出力されたパネル１００１に対する「ＹＥＳ」ボタンの押下の入力を受け付ける。次に、会計端末送信部２４は、入力に従ったチェック情報「０」を構成する。なお、チェック情報は、顧問先識別子「Ｃ００１」、および会計伝票情報の時期を示す「２０１３年１月」を含む。そして、会計端末送信部２４は、構成したチェック情報をサーバ装置１に送信する。
【０１８１】
次に、サーバ装置１のサーバ受信部１３は、かかるチェック情報を会計端末２から受信する。チェック情報取得部１５は、一の月の会計伝票情報のチェックの完了を示すチェック情報「０」を取得する。そして、サーバ蓄積部１６は、サーバ蓄積部１６は、顧問先識別子「Ｃ００１」の２０１３年１月の会計伝票情報のチェック情報「０」を会計情報格納部１１蓄積する。この結果、図９の２０１３／１のチェック情報が「０」に書き換えられる。
【０１８２】
本具体例によれば、会計処理者の一の月の会計伝票情報のチェックが完了したことを推定し、会計処理者に一の月の会計伝票情報のチェックが完了したか否かを問い合わせることができる。そして、かかる処理により、会計処理者が効率的に会計伝票情報のチェックができる。
【０１８３】
以上、本実施の形態によれば、不具合のある会計伝票情報が入力されることを防止できる。また、本実施の形態によれば、会計伝票情報のチェック作業の効率化を図ることができる。
【０１８４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置を実現するソフトウェアは、以下のようなプログラムである。つまり、このプログラムは、
記録媒体に、取引に関する情報であり、取引日を有する会計伝票情報を有する１以上の会計情報と、会計伝票情報に対する会計処理者のチェックの状態に関する情報であるチェック情報を格納しており、コンピュータを、蓄積される会計伝票情報、更新される会計伝票情報、会計伝票情報のチェックのための出力を指示するチェック指示、および会計伝票情報の出力を指示する出力指示を、前記会計端末または前記ユーザ端末から受信するサーバ受信部と、前記サーバ受信部が受信した会計伝票情報を、前記記録媒体に蓄積するサーバ蓄積部と、前記出力指示または前記チェック指示に対応する会計伝票情報を前記記録媒体から取得し、当該会計伝票情報を、前記出力指示を送信してきた会計端末またはユーザ端末に送信するサーバ送信部として機能させるためのプログラムである。
【０１８５】
上記プログラムにおいて、前記会計端末から前記完了指示をも受信し、前記サーバ受信部が受信した完了指示が一の月のすべての会計伝票情報のチェック完了を示す情報であれば、前記記録媒体から、前記一の月の次の月の１以上の会計伝票情報を取得するサーバ処理部として、コンピュータをさらに機能させ、前記サーバ送信部は、前記サーバ処理部が取得した１以上の会計伝票情報をも、前記会計端末に送信するものとして、コンピュータを機能させることは好適である。
【０１８６】
上記プログラムにおいて、一の月のすべての会計伝票情報のチェックが完了したことが自動判断され、前記サーバ蓄積部は、前記一の月の会計伝票情報に対応するチェック情報の値を、チェック完了を示す情報に変更するものとして、コンピュータを機能させることは好適である。
【０１８７】
また、記録媒体に、取引に関する情報であり、取引日を有する会計伝票情報を有する１以上の会計情報と、会計伝票情報に対する会計処理者のチェックの状態に関する情報であるチェック情報を格納しており、コンピュータを、蓄積される会計伝票情報、更新される会計伝票情報、会計伝票情報のチェックのための出力を指示するチェック指示、会計伝票情報の出力を指示する出力指示、および閲覧操作から取得されるチェック情報または前記閲覧操作を、前記会計端末または前記ユーザ端末から受信するサーバ受信部と、前記サーバ受信部が前記会計端末から受信した情報を用いて、一の月の会計伝票情報のチェックが完了した旨のチェック情報を取得するチェック情報取得部と、前記サーバ受信部が受信した会計伝票情報を前記記録媒体に蓄積し、かつ、前記チェック情報取得部が取得したチェック情報を前記記録媒体に蓄積するサーバ蓄積部と、前記出力指示に対応する会計伝票情報を前記記録媒体から取得し、当該会計伝票情報を、前記出力指示を送信してきた会計端末またはユーザ端末に送信するサーバ送信部として機能させることは好適である。
【０１８８】
上記プログラムにおいて、前記サーバ受信部は、前記一の月の会計伝票情報のチェックが完了した旨のチェック情報を会計端末から受信し、前記チェック情報取得部は、前記サーバ受信部が受信したチェック情報を取得するものとして、コンピュータを機能させることは好適である。
【０１８９】
上記プログラムにおいて、前記サーバ受信部は、会計端末から１または２以上の閲覧操作を受信し、前記チェック情報取得部は、前記１または２以上の閲覧操作が予め決められた条件を満たしたことを検知した場合に、一の月の会計伝票情報のチェックが完了した旨のチェック情報を取得するものとして、コンピュータを機能させることは好適である。
【０１９０】
また、図１１は、本明細書で述べたプログラムを実行して、上述した種々の実施の形態の会計処理システムを構成するサーバ装置、会計端末、ユーザ端末を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０１９１】
図１１において、コンピュータシステム３００は、ＣＤ−ＲＯＭドライブを含むコンピュータ３０１と、キーボード３０２と、マウス３０３と、モニタ３０４とを含む。
【０１９２】
図１２において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１９３】
コンピュータシステム３００に、上述した実施の形態の会計処理システムを構成するサーバ装置、会計端末、ユーザ端末の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１９４】
プログラムは、コンピュータ３０１に、上述した実施の形態の会計処理システムを構成するサーバ装置、会計端末、ユーザ端末の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１９５】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１９６】
また、上記プログラムを実行するコンピュータは、単数であってもよく、複数であってもよい。すなわち、集中処理を行ってもよく、あるいは分散処理を行ってもよい。
【０１９７】
また、上記各実施の形態において、一の装置に存在する２以上の通信手段は、物理的に一の媒体で実現されても良いことは言うまでもない。
【０１９８】
また、上記各実施の形態において、各処理（各機能）は、単一の装置（システム）によって集中処理されることによって実現されてもよく、あるいは、複数の装置によって分散処理されることによって実現されてもよい。
【０１９９】
本発明は、以上の実施の形態に限定されることなく、種々の変更が可能であり、それらも本発明の範囲内に包含されるものであることは言うまでもない。
【産業上の利用可能性】
【０２００】
以上のように、本発明にかかる会計処理システムは、不具合のある会計伝票情報が発生することを防止できる、という効果を有し、会計処理ソフトウェア等として有用である。
【符号の説明】
【０２０１】
１  サーバ装置
２  会計端末
３  ユーザ端末
１１  会計情報格納部
１２  チェック情報格納部
１３  サーバ受信部
１４  サーバ処理部
１５  チェック情報取得部
１６  サーバ蓄積部
１７  サーバ送信部
２１  会計端末格納部
２２  会計端末受付部
２３  会計端末判断部
２４  会計端末送信部
２５  会計端末受信部
２６  会計端末出力部
３１  ユーザ端末格納部
３２  ユーザ端末受付部
３３  ユーザ端末送信部
３４  ユーザ端末受信部
３５  ユーザ端末出力部
【図１】
2014215933.tif 000003
【図２】
2014215933.tif 000004
【図３】
2014215933.tif 000005
【図４】
2014215933.tif 000006
【図５】
2014215933.tif 000007
【図６】
2014215933.tif 000008
【図７】
2014215933.tif 000009
【図８】
2014215933.tif 000010
【図９】
2014215933.tif 000011
【図１０】
2014215933.tif 000012
【図１１】
2014215933.tif 000013
【図１２】
2014215933.tif 000014